(57)【要約】【課題】  外部機器に画像データ及び音声データを送信して表示させる情報処理装置において、外部機器から出力される音声の音量の操作を容易にする手段を提供する。【解決手段】  音声を出力する音声出力部と、前記音声出力部から出力される音声の音量を調整する音量調整ボタンと、画像を表示する画像表示部と、前記音声出力部から出力される音声、及び前記画像表示部に表示された画像を、それぞれ音声データ及び画像データとして外部装置に送信するデータ送信部と、前記データ送信部から前記音声データ及び前記画像データを送信中に前記音量調整ボタンが操作されたときに、前記外部装置から出力される音声の音量を操作可能な音量遠隔制御モードに移行するよう制御する制御部と、を備えることを特徴とする情報処理装置（携帯端末装置１０）を提供する。【選択図】  図４
2016021659.tif 000002
【特許請求の範囲】
【請求項１】
音声を出力する音声出力部と、
前記音声出力部から出力される音声の音量を調整する音量調整ボタンと、
画像を表示する画像表示部と、
前記音声出力部から出力される音声、及び前記画像表示部に表示された画像を、それぞれ音声データ及び画像データとして外部装置に送信するデータ送信部と、
前記データ送信部から前記音声データ及び前記画像データを送信中に前記音量調整ボタンが操作されたときに、前記外部装置から出力される音声の音量を操作可能な音量遠隔制御モードに移行するよう制御する制御部と、を備える
ことを特徴とする情報処理装置。
【請求項２】
前記データ送信部は、前記音量遠隔制御モードにおいて前記音量調整ボタンが操作されたとき、前記外部装置から出力される音声の音量を調整するための音量操作情報を送信する
ことを特徴とする請求項１に記載の情報処理装置。
【請求項３】
前記表示部と一体的に構成され、指示具の接触または近接を検出するタッチパネルをさらに備え、
前記表示部は、前記音量遠隔制御モードのとき音量制御画像を表示し、
前記データ送信部は、前記タッチパネルによる前記音量制御画像に対する操作の検出に応答して、前記外部装置から出力される音声の音量を調整するための音量操作情報を送信する
ことを特徴とする請求項１に記載の情報処理装置。
【請求項４】
前記データ送信部は、前記画像データを外部表示装置に送信し、前記音声データを外部音声再生装置に送信し、
前記データ送信部は、前記音量遠隔制御モードのとき、前記外部音声再生装置に対して前記音量操作情報を送信する
ことを特徴とする請求項１乃至請求項３のいずれか１項に記載の情報処理装置。
【請求項５】
前記データ送信部から前記音声データ及び前記画像データを送信中に前記音量調整ボタンが操作されたときに所定のＵＲＬにアクセスし、該ＵＲＬのウェブインタフェースを介して前記外部装置から出力される音声の音量を操作する
ことを特徴とする請求項１に記載の情報処理装置。
【発明の詳細な説明】
【技術分野】
【０００１】
本発明の一態様は、外部機器に画像データ及び音声データを送信して画像表示及び音声出力させる情報処理装置などに関する。
【背景技術】
【０００２】
近年、スマートフォン等の端末を操作して、この端末で表示される画像（映像を含む）及び再生される音声を、外部機器で表示及び再生させる（ミラーリングとも呼ばれる）システムがある。このようなシステムでは、外部機器で再生される（出力される）音声の音量を調整する際、端末にインストールされたソフトを利用していた。例えば、特許文献１には、パーソナルビデオレコーダを操作する際に、操作画面をリモートコントローラの表示部に表示して操作する技術が開示されている。また、特許文献２には、テレビが自身の状態をスマートフォンに通知し、スマートフォンがテレビから通知された状態に応じたＧＵＩをタッチパネルに表示する技術が開示されている。特許文献３には、端末で表示されたコンテンツをＴＶ受信機で表示する技術が開示されている。
【先行技術文献】
【特許文献】
【０００３】
【特許文献１】特開２００４−１３５１９４号公報
【特許文献２】特開２０１３−２１６７３号公報
【特許文献３】特開２０１０−２３９２５１号公報
【発明の概要】
【発明が解決しようとする課題】
【０００４】
しかしながら、上記従来の技術では、外部機器の制御のためには端末で専用アプリケーションソフトを実行する必要があり、この専用アプリケーションソフトの起動などの操作が煩雑であった。特に、外部機器専用のリモコンによる操作性と比較すると、操作性が劣る面があった。さらに、端末で表示される画像を外部機器に表示させているときに端末で上記アプリケーションソフトを実行すると、端末の画面上にこのアプリケーションソフトの実行画面が表示され、端末で表示されていた映像コンテンツが中断されてしまうなどの課題があった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
音声を出力する音声出力部（１７０）と、
前記音声出力部から出力される音声の音量を調整する音量調整ボタン（操作ボタン１５０）と、
画像を表示する画像表示部（１２０）と、
前記音声出力部から出力される音声、及び前記画像表示部に表示された画像を、それぞれ音声データ及び画像データとして外部装置（表示装置２０または音声再生装置３０）に送信するデータ送信部（無線通信部１１０）と、
前記データ送信部から前記音声データ及び前記画像データを送信中に前記音量調整ボタンが操作されたときに、前記外部装置から出力される音声の音量を操作可能な音量遠隔制御モードに移行するよう制御する制御部（ＣＰＵ１００）と、を備える
ことを特徴とする情報処理装置（携帯端末装置１０）である。
【０００７】
上記構成の情報処理装置（携帯端末装置１０）によれば、ユーザは、この情報処理装置を操作することで、専用リモコンと変わらない直感的な操作で音量の調整をすることが可能となる。これにより、操作性を向上させることができる。
【０００８】
本発明の手段２は、
前記データ送信部（無線通信部１１０、またはＩＲ送信部１６０）は、前記音量遠隔制御モードにおいて前記音量調整ボタンが操作されたとき、前記外部装置（表示装置２０または音声再生装置３０）から出力される音声の音量を調整するための音量操作情報を送信する
ことを特徴とする手段１の情報処理装置（携帯端末装置１０）である。
【０００９】
上記構成の情報処理装置（携帯端末装置１０）によれば、情報処理装置の音量調整ボタンの操作により、外部装置（表示装置２０または音声再生装置３０）の音量を調整することができる。
【００１０】
本発明の手段３は、
前記画像表示部（１２０）と一体的に構成され、指示具の接触または近接を検出するタッチパネル（１３０）をさらに備え、
前記画像表示部（１２０）は、前記音量遠隔制御モードのとき音量制御画像（音量操作用ＵＩ）を表示し、
前記データ送信部（無線通信部１１０、またはＩＲ送信部１６０）は、前記タッチパネルによる前記音量制御画像に対する操作の検出に応答して、前記外部装置から出力される音声の音量を調整するための音量操作情報を送信する
ことを特徴とする手段１の情報処理装置（携帯端末装置１０）である。
【００１１】
上記構成の情報処理装置（携帯端末装置１０）によれば、情報処理装置のタッチパネルに表示される音量制御画像のタッチ操作などにより、外部装置（表示装置２０）の音量を調整することができる。
【００１２】
本発明の手段４は、
前記データ送信部（無線通信部１１０）は、前記画像データを外部表示装置（表示装置２０）に送信し、前記音声データを外部音声再生装置（音声再生装置３０）に送信し、
前記データ送信部（無線通信部１１０、またはＩＲ送信部１６０）は、前記音量遠隔制御モードのとき、前記外部音声再生装置（音声再生装置３０）に対して前記音量操作情報を送信する
ことを特徴とする上記いずれかの情報処理装置（携帯端末装置１０）である。
【００１３】
上記構成の情報処理装置（携帯端末装置１０）によれば、ユーザは、この情報処理装置を操作することで、専用リモコンと変わらない直感的な操作で音声再生装置から出力される音量の調整をすることが可能となる。これにより、操作性を向上させることができる。
【００１４】
本発明の手段５は、
前記データ送信部から前記音声データ及び前記画像データを送信中に前記音量調整ボタンが操作されたときに所定のＵＲＬにアクセスし、該ＵＲＬのウェブインタフェースを介して前記外部装置から出力される音声の音量を操作する
ことを特徴とする手段１の情報処理装置（携帯端末装置１０）である。
【００１５】
上記構成の情報処理装置（携帯端末装置１０）によれば、専用ソフトなどをダウンロードすることなく、情報処理装置の操作で外部機器から出力される音声を調整することができる。
【図面の簡単な説明】
【００１６】
【図１】実施形態１のシステムの構成例を示す図。
【図２】携帯端末装置の構成例を示す図。
【図３】表示装置の構成例を示す図。
【図４】実施形態１の音量調整処理を示すフローチャート。
【図５】実施形態２のシステムの構成例を示す図。
【図６】音声再生装置の構成例を示す図。
【図７】実施形態２の音量調整処理を示すフローチャート。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）システムの構成例
（２）音量調整処理の具体例
２．実施形態２
（１）システムの構成例
（２）音量調整処理の具体例
３．実施形態３
４．補足事項
５．本発明の特徴
【００１８】
＜１．実施形態１＞
まず、本発明の実施形態１について、図１乃至図４を参照しながら説明する。
【００１９】
＜（１）システムの構成例＞
図１に示されるように、本実施形態のシステムは、画像を表示しかつ音声を出力し、これらの画像及び音声に対応したデータを送信するスマートフォンなどの携帯端末装置１０と、これらのデータを受信して画像を表示し音声を出力する表示装置２０を含んで構成される。これらの携帯端末装置１０と表示装置２０とは、例えばＭｉｒａｃａｓｔで接続されるが、これに限定されるものではない。携帯端末装置１０と表示装置２０とは、同じ画像が表示され、同じ音声を出力する。これにより、ユーザは携帯端末装置１０よりも大きな画面で映像コンテンツを視聴することなどが可能となる。なお、各構成の具体的動作については後述する。本実施形態において、携帯端末装置１０から表示装置２０に対して送信される画像データは、画像データの集合としての映像データとも呼ぶことがある。
【００２０】
＜携帯端末装置１０＞
携帯端末装置１０は、スマートフォンまたはタブレット機器などの携帯端末であって、ＣＰＵ１００、無線通信部１１０、画像表示部１２０、タッチパネル１３０、メモリ１４０、操作ボタン１５０、ＩＲ送信部１６０、及び音声出力部１７０を含んで構成される。これらの各構成は、バス１８０を介して互いにデータの入出力を実行可能に接続される。
【００２１】
＜ＣＰＵ１００＞
ＣＰＵ１００は、携帯端末装置１０における種々の処理を実行可能に構成された中央処理装置であり、無線通信部１１０、画像表示部１２０、タッチパネル１３０、メモリ１４０、操作ボタン１５０、ＩＲ送信部１６０、及び音声出力部１７０の各構成を、バス１８０を介して制御可能に構成される。ＣＰＵ１００は、ユーザによる操作、実行中のソフトウェアの実行結果、及び無線通信部１１０による受信信号、などに基づいて様々な処理を実行可能に構成される。
【００２２】
ＣＰＵ１００は、操作ボタン１５０が音量調整ボタンの押下を検出したときに、動作モードを音量遠隔制御モードに移行するよう制御する。音量遠隔制御モードでは、携帯端末装置１０の操作で、表示装置２０から出力される音声の音量を制御することができる。具体的には、音量遠隔制御モードではＣＰＵ１００は、ＩＲ送信部１６０を制御して、表示装置２０から出力される音量を調整するための音量操作情報を送信する。音量操作情報は、操作ボタン１５０が音量調整ボタンの押下を検出したとき、またはタッチパネル１３０が画像表示部１２０にＧＵＩとして表示された音量制御画像に対する操作を検出したときに、送信される。音量操作情報は、音量を大きくする情報または小さくする情報を含む。ＣＰＵ１００のその他の具体的処理については後述する。
【００２３】
＜無線通信部１１０＞
無線通信部１１０は、外部装置（表示装置２０を含む）との間でデータの送受信を実行可能に構成されている。本実施形態では、特に、無線通信部１１０は、画像表示部１２０に表示される画像、及び音声出力部１７０から出力された音声に基づいてＣＰＵ１００で生成された画像データ及び音声データを送信する。
【００２４】
＜画像表示部１２０＞
画像表示部１２０は、ＬＣＤ（Ｌｉｑｕｉｄ  Ｃｒｙｓｔａｌ  Ｄｉｓｐｌａｙ）や有機ＥＬディスプレイなどで構成され、ＣＰＵ１００の制御により画像データをユーザが視認可能な状態で表示可能に構成される。
【００２５】
＜タッチパネル１３０＞
タッチパネル１３０は、画像表示部１２０と一体的に構成され、ユーザの指または指示具の接触または近接を検出し、検出結果をＣＰＵ１００に出力するよう構成される。
【００２６】
＜メモリ１４０＞
メモリ１４０は、ＣＰＵ１００の制御により種々のデータ及び情報を記憶するよう構成される。メモリ１４０は、音量遠隔制御モードで利用される音量制御画像などを記憶する。
【００２７】
＜操作ボタン１５０＞
操作ボタン１５０は、音量アップボタン及び音量ダウンボタンを含む音量調整ボタンを含むボタンの押下を検出し、検出結果をＣＰＵ１００に出力して所定の処理を実行させるよう構成される。
【００２８】
＜ＩＲ送信部１６０＞
ＩＲ送信部１６０は、ＩＲ（赤外線）通信で外部機器（表示装置２０を含む）に対して情報（信号）を送信するよう構成される。本実施形態では、特に、ＩＲ送信部１６０は、音量操作情報を送信するよう構成される。
【００２９】
＜音声出力部１７０＞
音声出力部１７０は、ＣＰＵ１００の制御によりスピーカーから音声を出力するよう構成される。
【００３０】
＜バス１８０＞
バス１８０は、携帯端末装置１０に含まれるそれぞれの要素に接続され、これらのそれぞれの要素が互いにデータ及び信号などの送受信を実行するために利用される。
【００３１】
＜表示装置２０＞
表示装置２０は、テレビまたはモニターなどの表示装置であって、ＣＰＵ２００、無線通信部２１０、画像表示部２２０、メモリ２４０、入力インタフェース部２５０、ＩＲ受信部２６０、及び音声出力部２７０を含んで構成される。これらの各構成は、バス２８０を介して互いにデータの入出力を実行可能に接続される。
【００３２】
＜ＣＰＵ２００＞
ＣＰＵ２００は、表示装置２０における種々の処理を実行可能に構成された中央処理装置であり、無線通信部２１０、画像表示部２２０、メモリ２４０、入力インタフェース部２５０、ＩＲ受信部２６０、及び音声出力部２７０の各構成を、バス２８０を介して制御可能に構成される。ＣＰＵ２００は、無線通信部１１０による受信信号、ＩＲ受信部２６０による受信信号、またはユーザによる操作などに基づいて様々な処理を実行可能に構成される。ＣＰＵ２００は、無線通信部２１０で受信された画像データに基づいて、画像表示部２２０に画像を表示する。また、ＣＰＵ２００は、無線通信部２１０で受信された音声データに基づいて、音声出力部２７０から音声を出力する。また、ＣＰＵ２００は、ＩＲ受信部２６０で受信した音量操作情報に基づいて、音声出力部２７０から出力される音声の音量を調整するよう構成される。
【００３３】
＜無線通信部２１０＞
無線通信部２１０は、携帯端末装置１０との間でデータの送受信を実行可能に構成されている。本実施形態では、特に、無線通信部２１０は、携帯端末装置１０から画像データ及び音声データを受信し、受信したこれらのデータをＣＰＵ２００に出力するよう構成される。
【００３４】
＜画像表示部２２０＞
画像表示部２２０は、ＬＣＤ（Ｌｉｑｕｉｄ  Ｃｒｙｓｔａｌ  Ｄｉｓｐｌａｙ）や有機ＥＬディスプレイなどで構成され、ＣＰＵ２００の制御により、無線通信部２１０で受信された画像データをユーザが視認可能な状態で表示可能に構成される。
【００３５】
＜メモリ２４０＞
メモリ２４０は、ＣＰＵ２００の制御により種々のデータ及び情報を記憶するよう構成される。メモリ２４０は、音量遠隔制御モードの際に携帯端末装置１０に対して送信する音量操作用ＵＩなどを記憶するよう構成される。
【００３６】
＜入力インタフェース部２５０＞
入力インタフェース部２５０は、ユーザによる情報の入力を検出し、検出された情報をＣＰＵ２００に出力するよう構成される。
【００３７】
＜ＩＲ受信部２６０＞
ＩＲ受信部２６０は、ＩＲ（赤外線）通信で携帯端末装置１０から情報（信号）を受信するよう構成される。本実施形態では、特に、ＩＲ受信部２６０は、音量操作情報を受信するよう構成される。
【００３８】
＜音声出力部２７０＞
音声出力部２７０は、ＣＰＵ２００の制御によりスピーカーから音声を出力するよう構成される。
【００３９】
＜バス２８０＞
バス２８０は、表示装置２０に含まれるそれぞれの要素に接続され、これらのそれぞれの要素が互いにデータ及び信号などの送受信を実行するために利用される。
【００４０】
＜（２）音量調整処理の具体例＞
次に、本実施形態のシステムで実行される音量調整処理について、図４のフローチャートを参照しながら説明する。
【００４１】
＜Ｓ５１０〜Ｓ５２１＞
まず、携帯端末装置１０と表示装置２０との間では、携帯端末装置１０で表示される画像及び出力される音声を、表示装置２０でも表示及び出力するため、Ｍｉｒａｃａｓｔセッションが開始される（Ｓ５１０、Ｓ５１１）。これにより、携帯端末装置１０のＣＰＵ１００は、無線通信部１１０を制御して、画像表示部１２０で表示される画像に基づいて生成された画像データ、及び音声出力部１７０から出力される音声に基づいて生成された音声データを、表示装置２０に対して送信する（Ｓ５２０）。表示装置２０では、無線通信部２１０がこれらの画像データ及び音声データを受信する（Ｓ５２１）。受信された画像データは、ＣＰＵ２００の制御により画像表示部２２０に表示され、受信された音声データは、ＣＰＵ２００の制御により音声出力部２７０から出力される。なお、画像データ及び音声データの送信の際には携帯端末装置１０のＣＰＵ１００による符号化が行われ、受信の際には表示装置２０のＣＰＵ２００による復号が行われる。
【００４２】
＜Ｓ５３０〜Ｓ５３１＞
次に、表示装置２０では、画像データ及び音声データを受信したら、無線通信部２１０は、ＣＰＵ２００の制御により、携帯端末装置１０に対してメモリ２４０から読み出した音量操作用ＵＩを送信する（Ｓ５３０）。携帯端末装置１０の無線通信部１１０は、音量操作用ＵＩを受信し、ＣＰＵ１００の制御によりこの音量操作用ＵＩをメモリ１４０に記憶させる（Ｓ５３１）。
【００４３】
＜Ｓ５４０〜Ｓ５７１＞
次に、携帯端末装置１０の操作ボタン１５０が、ユーザによる音量ボタンの押下を検出したら、検出した操作内容をＣＰＵ１００に出力する（Ｓ５４０）。これに応答して、ＣＰＵ１００は、動作モードを音量遠隔制御モードに移行するよう制御し、メモリ１４０から音量操作用ＵＩを読み出して、画像表示部１２０に表示させる（Ｓ５５０）。携帯端末装置１０は、この音量遠隔操作モードのときに操作ボタン１５０が音量操作ボタンの押下を検出したときは（Ｓ５６０）、検出された操作内容に応じた音量アップ指示または音量ダウン指示のいずれかを含む音量操作情報を生成し、ＩＲ送信部１６０から表示装置２０に対してこの音量操作情報を送信させる（Ｓ５７０）。表示装置２０のＩＲ受信部２６０が音量操作情報を受信したら、ＣＰＵ２００は音声出力部２７０から出力される音声の音量を変更する処理を行う（Ｓ５７１）。
【００４４】
＜Ｓ５８０＞
そして、携帯端末装置１０では、ユーザによる音量操作（Ｓ５６０参照）、または音量操作用ＵＩの表示（Ｓ５５０参照）から一定時間経過後に、ＣＰＵ１００は画像表示部１２０に表示された音量操作用ＵＩの表示を非表示にする（Ｓ５８０）。
【００４５】
このような処理により、ユーザは携帯端末装置１０に配置された物理ボタンである音量調整ボタンを操作することで、表示装置２０の音声出力部２７０から出力される音声の音量を簡単に操作することができる。
【００４６】
＜２．実施形態２＞
次に、本発明の実施形態２について、図５乃至図７を参照しながら説明する。本実施形態のシステムは、実施形態１と比較して、音声再生装置３０が追加されている点で相違する。音声再生装置３０は、携帯端末装置１０から音声データを受信して音声を出力するように構成されている。すなわち、本実施形態のシステムでは、実施形態１において表示装置２０から出力されていた音声が音声再生装置３０から出力されるように変更されており、実施形態１において携帯端末装置１０と表示装置２０との間で行われた処理の一部が、携帯端末装置１０と音声再生装置３０との間で行われるように変更されている。以下の説明では、この相違点を中心に説明を行い、実施形態１と同様の構成及び操作についてはその説明を省略する。
【００４７】
＜（１）システムの構成例＞
図５に示されるように、本実施形態のシステムは、携帯端末装置１０、表示装置２０、及び音声再生装置３０を含んで構成される。音声再生装置３０は、例えば表示装置２０の外付けのスピーカーであり、携帯端末装置１０から音声データを受信して出力するよう構成される。
【００４８】
＜音声再生装置３０＞
音声再生装置３０は、スピーカーなどの音声を出力する装置であって、ＣＰＵ３００、無線通信部３１０、メモリ３４０、入力インタフェース部３５０、及び音声出力部３７０を含んで構成される。これらの各構成は、バス３８０を介して互いにデータの入出力を実行可能に接続される。
【００４９】
＜ＣＰＵ３００＞
ＣＰＵ２００は、表示装置２０における種々の処理を実行可能に構成された中央処理装置であり、無線通信部３１０、メモリ３４０、入力インタフェース部３５０、及び音声出力部３７０の各構成を、バス３８０を介して制御可能に構成される。ＣＰＵ３００は、無線通信部３１０による受信信号、またはユーザによる操作などに基づいて様々な処理を実行可能に構成される。ＣＰＵ３００は、無線通信部３１０で受信された音声データに基づいて、音声出力部３７０から音声を出力する。また、ＣＰＵ３００は、無線通信部３１０で受信した音量操作情報に基づいて、音声出力部３７０から出力される音声の音量を調整するよう構成される。
【００５０】
＜無線通信部３１０＞
無線通信部３１０は、携帯端末装置１０との間でデータの送受信を実行可能に構成されている。本実施形態では、特に、無線通信部３１０は、携帯端末装置１０から音声データ及び音量操作情報を受信し、受信したこれらのデータをＣＰＵ３００に出力するよう構成される。
【００５１】
＜メモリ３４０＞
メモリ３４０は、ＣＰＵ３００の制御により種々のデータ及び情報を記憶するよう構成される。メモリ３４０は、音量遠隔制御モードの際に携帯端末装置１０に対して送信する音量操作用ＵＩなどを記憶するよう構成される。
【００５２】
＜入力インタフェース部３５０＞
入力インタフェース部３５０は、ユーザによる情報の入力を検出し、検出された情報をＣＰＵ２００に出力するよう構成される。
【００５３】
＜音声出力部３７０＞
音声出力部３７０は、ＣＰＵ２００の制御によりスピーカーから音声を出力するよう構成される。
【００５４】
＜バス３８０＞
バス３８０は、音声再生装置３０に含まれるそれぞれの要素に接続され、これらのそれぞれの要素が互いにデータ及び信号などの送受信を実行するために利用される。
【００５５】
＜（２）音量調整処理の具体例＞
次に、本実施形態のシステムで実行される音量調整処理について、図７のフローチャートを参照しながら説明する。なお、実施形態１と同様の処理内容については、同じ符号を付してその説明を省略する。
【００５６】
＜Ｓ５１０〜Ｓ５２２＞
まず、携帯端末装置１０と、表示装置２０及び音声再生装置３０との間では、携帯端末装置１０で表示される画像を表示装置２０でも表示し、携帯端末装置１０で出力さえる音声を音声再生装置３０でも出力するため、Ｍｉｒａｃａｓｔセッションが開始される（Ｓ５１０、Ｓ５１１、Ｓ５１２）。これにより、携帯端末装置１０のＣＰＵ１００は、無線通信部１１０を制御して、画像表示部１２０で表示される画像に基づいて生成された画像データを表示装置２０に対して送信する（Ｓ５２０Ａ）。また、携帯端末装置１０のＣＰＵ１００は、音声出力部１７０から出力される音声に基づいて生成された音声データを、音声再生装置３０に対して送信する（Ｓ５２０Ａ）。表示装置２０では、無線通信部２１０が画像データを受信し（Ｓ５２１Ａ）、ＣＰＵ２００は受信した画像データを画像表示部２２０に表示させる。音声再生装置３０では、無線通信部３１０が音声データを受信し（Ｓ５２２）、ＣＰＵ３００は受信した音声データを音声出力部３７０から出力させる。なお、画像データ及び音声データの送信の際には携帯端末装置１０のＣＰＵ１００による符号化が行われ、受信の際には表示装置２０のＣＰＵ２００及び音声再生装置３０のＣＰＵ３００による復号が行われる。
【００５７】
＜Ｓ５３０Ａ〜Ｓ５３１＞
次に、音声再生装置３０では、音声データを受信したら、無線通信部３１０は、ＣＰＵ３００の制御により、携帯端末装置１０に対してメモリ３４０から読み出した音量操作用ＵＩを送信する（Ｓ５３０Ａ）。携帯端末装置１０の無線通信部１１０は、音量操作用ＵＩを受信し、ＣＰＵ１００の制御によりこの音量操作用ＵＩをメモリ１４０に記憶させる。
【００５８】
＜Ｓ５７１Ａ＞
そして、携帯端末装置１０の無線通信部１１０から送信された音量操作情報を受信した音声再生装置３０の無線通信部３１０は、音量操作情報をＣＰＵ３００に出力する。ＣＰＵ３００は、この音量操作情報に基づいて、音声出力部３７０から出力される音声の音量を変更する処理を行う（Ｓ５７１Ａ）。
【００５９】
このような処理により、ユーザは携帯端末装置１０に設けられた物理ボタンである音量調整ボタンを操作することで、音声再生装置３０の音声出力部３７０から出力される音声の音量を簡単に操作することができる。
【００６０】
＜３．実施形態３＞
次に、本発明の実施形態３について説明する。本実施形態のシステムでは、その構成は実施形態１と同様であるが、携帯端末装置１０が、表示装置２０から出力される音声を、ウェブインタフェースを利用して操作する点で相違する。以下、この相違点について説明する。
【００６１】
携帯端末装置１０のメモリ１４０は、表示装置２０の音声制御用ウェブインタフェースのＵＲＬを予め記憶しておく。この音声制御用ウェブインタフェースのＵＲＬは、例えばユーザにより予め入力されてもよいし、携帯端末装置１０と表示装置２０とが最初に無線接続されたときに表示装置２０から携帯端末装置１０に対して送信されたものを記憶しておいてもよい。
【００６２】
ＣＰＵ１００は、ユーザによる音量ボタンの押下を検出したら、この音量制御用ウェブインタフェースのＵＲＬにアクセスする処理を行う。これにより、画像表示部２２０には音量操作用ＵＩが表示される。携帯端末装置１０では、この音量操作用ＵＩが表示された音量遠隔制御モードのときに音量ボタンの押下を検出したら、ＩＲ送信部１６０から音量操作情報を送信する処理を行う。すなわち、実施形態１で説明した音量調整処理について、音量操作用ＵＩの送受信の処理を省略することが可能となる。
【００６３】
＜４．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００６４】
上記実施形態では、Ｍｉｒａｃａｓｔのセッションにより携帯端末装置１０における画像表示及び音声出力を、表示装置２０で表示及び出力、または音声再生装置３０で出力したが、この方式はＭｉｒａｃａｓｔのセッションに限らず、別の方法を採ってもよい。
【００６５】
また、上記実施形態においては、携帯端末装置１０と、表示装置２０及び音声再生装置３０とは直接無線で接続されていたが、無線ルータなどの装置を介して接続されてもよい。
【００６６】
また、上記実施形態では、携帯端末装置１０から表示装置２０に対する音量操作情報の送信はＩＲ通信によって行われたが、音量操作情報は無線通信部を介した無線通信により行われてもよい。同様に、携帯端末装置１０から音声再生装置３０に対する音量操作情報の送信は無線通信によって行われたが、これはＩＲ通信によって行われてもよい。
【００６７】
また、上記実施形態では、音量操作用ＵＩは携帯端末装置１０及び表示装置２０の双方に表示されることになるが、この音量操作用ＵＩは、携帯端末装置１０または表示装置２０のいずれか一方にのみ表示されるようにしてもよい。
【００６８】
また、上記実施形態では、音量調整ボタンの最初の押下が検出されたときに、ＣＰＵ１００が動作モードを音量遠隔操作モードにしているが、このとき、押下された音量調整ボタンに応じて、音量アップ指示または音量ダウン指示の音量操作情報を送信するようにしてもよい。
【００６９】
また、上記実施形態では、音量遠隔操作モードにおいて音量調整ボタンが押下されることで表示装置２０または音声再生装置３０から出力される音声の音量を調整していたが、これは、携帯端末装置１０のタッチパネル操作により実行されてもよい。すなわち、携帯端末装置１０のＣＰＵ１００は、音量遠隔操作モードにおいてタッチパネル１３０で検出されたタッチ操作に応答して、音量操作情報を送信するよう制御してもよい。
【００７０】
＜５．本発明の特徴＞
以上、説明したような構成の情報処理装置としての携帯端末装置１０は以下のような特徴を持つ。
【００７１】
まず、本発明の情報処理装置（携帯端末装置１０）は、音声を出力する音声出力部１７０と、音声出力部１７０から出力される音声の音量を調整する音量調整ボタン（操作ボタン１５０）と、画像を表示する画像表示部１２０と、音声出力部１７０から出力される音声、及び画像表示部１２０に表示された画像を、それぞれ音声データ及び画像データとして外部装置（表示装置２０または音声再生装置３０）に送信するデータ送信部（無線通信部１１０）と、データ送信部（無線通信部１１０）から音声データ及び画像データを送信中に音量調整ボタン（操作ボタン１５０）が操作されたときに、外部装置（表示装置２０または音声再生装置３０）から出力される音声の音量を操作可能な音量遠隔制御モードに移行するよう制御する制御部（ＣＰＵ１００）と、を備えることを特徴とする。
【００７２】
上記構成の情報処理装置（携帯端末装置１０）によれば、ユーザは、この情報処理装置を操作することで、専用リモコンと変わらない直感的な操作で音量の調整をすることが可能となる。これにより、操作性を向上させることができる。
【００７３】
また、本発明の情報処理装置（携帯端末装置１０）は、データ送信部（無線通信部１１０、またはＩＲ送信部１６０）は、音量遠隔制御モードにおいて音量調整ボタン（操作ボタン１５０）が操作されたとき、外部装置（表示装置２０または音声再生装置３０）から出力される音声の音量を調整するための音量操作情報を送信することを特徴とする。
【００７４】
上記構成の情報処理装置（携帯端末装置１０）によれば、情報処理装置の音量調整ボタンの操作により、外部装置（表示装置２０または音声再生装置３０）の音量を調整することができる。
【００７５】
また、本発明の情報処理装置（携帯端末装置１０）は、画像表示部１２０と一体的に構成され、指示具の接触または近接を検出するタッチパネル１３０をさらに備え、画像表示部１２０は、音量遠隔制御モードのとき音量制御画像（音量操作用ＵＩ）を表示し、データ送信部（無線通信部１１０、またはＩＲ送信部１６０）は、タッチパネル１３０による音量制御画像に対する操作の検出に応答して、外部装置から出力される音声の音量を調整するための音量操作情報を送信することを特徴とする。
【００７６】
上記構成の情報処理装置（携帯端末装置１０）によれば、情報処理装置のタッチパネルに表示される音量制御画像のタッチ操作などにより、外部装置（表示装置２０または音声再生装置３０）の音量を調整することができる。
【００７７】
また、本発明の情報処理装置（携帯端末装置１０）は、データ送信部（無線通信部１１０）は、画像データを外部表示装置（表示装置２０）に送信し、音声データを外部音声再生装置（音声再生装置３０）に送信し、データ送信部（無線通信部１１０、またはＩＲ送信部１６０）は、音量遠隔制御モードのとき、外部音声再生装置（音声再生装置３０）に対して音量操作情報を送信することを特徴とする。
【００７８】
上記構成の情報処理装置（携帯端末装置１０）によれば、ユーザは、この情報処理装置を操作することで、専用リモコンと変わらない直感的な操作で音声再生装置から出力される音量の調整をすることが可能となる。これにより、操作性を向上させることができる。
【００７９】
また、本発明の情報処理装置（携帯端末装置１０）は、データ送信部から音声データ及び画像データを送信中に前記音量調整ボタンが操作されたときに所定のＵＲＬにアクセスし、該ＵＲＬのウェブインタフェースを介して外部装置から出力される音声の音量を操作することを特徴とする。
【００８０】
上記構成の情報処理装置（携帯端末装置１０）によれば、専用ソフトなどをダウンロードすることなく、情報処理装置の操作で外部機器から出力される音声を調整することができる。
【産業上の利用可能性】
【００８１】
本発明は、外部機器に画像データ及び音声データを送信して表示させる情報処理装置などとして好適に適用される。
【符号の説明】
【００８２】
１０…携帯端末装置
２０…表示装置
３０…音声再生装置
１１０…無線通信部
１２０…画像表示部
１３０…タッチパネル
１４０…メモリ
１５０…操作ボタン
１６０…送信部
１７０…音声出力部
１８０…バス
２１０…無線通信部
２２０…画像表示部
２４０…メモリ
２５０…入力インタフェース部
２６０…受信部
２７０…音声出力部
２８０…バス
３１０…無線通信部
３４０…メモリ
３５０…入力インタフェース部
３７０…音声出力部
３８０…バス
【図１】
2016021659.tif 000003
【図２】
2016021659.tif 000004
【図３】
2016021659.tif 000005
【図４】
2016021659.tif 000006
【図５】
2016021659.tif 000007
【図６】
2016021659.tif 000008
【図７】
2016021659.tif 000009